(57)【要約】【課題】装置サイズの拡大を抑制し、ピペットチップの消費量を抑制する。【解決手段】上面部材２４には、円形状の挿入孔２４Ａがマトリクス状に形成されている。上面部材２４の裏側には、挿入孔２４Ａの各々を開口とした収納空間３０を構成する隔離部材２８が設けられている。隔離部材２８は、下側に向かって小径とされた中空テーパー状の隔離壁２８Ａ、及び、隔離壁２８Ａのテーパー先端部分に設けられた底部２８Ｂとで構成されている。各々の収納空間３０は、上面部材２４、隔離壁２８Ａ、及び、底部２８Ｂにより、他の収納空間３０と隔離された独立空間とされている。上面部材２４、隔離壁２８Ａ、及び、底部２８Ｂは、一体的に構成されている。【選択図】  図３
2007253118.tif 000002
【特許請求の範囲】
【請求項１】
複数のピペットチップを先端部から挿入する複数の挿入口が構成された上面部材と、
前記挿入口から挿入されたピペットチップ同士をピペットチップ毎に隔離する収納空間を構成する隔離部材と、
を備えたピペットチップ収納具。
【請求項２】
前記上面部材及び前記隔離部材は一体的に構成されていること、を特徴とする請求項１に記載のピペットチップ収納具。
【請求項３】
前記隔離部材は、前記隣り合うピペットチップとの間に配置された隔離壁、及び、前記収納空間の底部を構成する隔離底部、を含んで構成されていること、を特徴とする請求項１または請求項２に記載のピペットチップ収納具。
【請求項４】
前記隔離部材は梁部材により連結されていること、を特徴とする請求項１乃至請求項３のいずれか１項に記載のピペットチップ収納具。
【発明の詳細な説明】
【技術分野】
【０００１】
本発明は、ノズルの先端に装着して液体を吸引／吐出するピペットチップを複数収納するピペットチップ収納具に関するものである。
【背景技術】
【０００２】
従来から、複数のピペットチップを整列させて収納するために、特許文献１に記載のようなピペットチップを収納具が用いられている。特許文献１に記載の収納具は、図７に示すように、プレートＰＬ上に形成された保持用孔にピペットチップＣＰを差し込んで、ピペットチップを収納している。ピペットチップは保持用孔に差し込まれ、保持用孔より大径の段差部分がプレートに当接されることにより保持される。
【０００３】
ところで、特許文献１のようなピペットチップ収納具では、保持用孔の下側で隣り合うピペットチップ同士が接触したり、使用後のピペットチップの液体が飛び散って他のピペットチップに付着したりする可能性がある。このため、一度使用したピペットチップはピペットチップ収納具へ戻すことなく別の廃棄場所に廃棄する必要があった。
【０００４】
しかしながら、別の廃棄場所を設置すると、装置のサイズが大きくなってしまう。また、同一の液体に使用する場合でも新しいピペットチップを使用することになるため、ピペットチップの消費量が増加してしまう。
【特許文献１】特開平１１−２４８７１３号公報
【発明の開示】
【発明が解決しようとする課題】
【０００５】
本発明は上記事実を考慮してなされたものであり、装置サイズの拡大を抑制し、ピペットチップの消費量も抑制することの可能なピペットチップ収納具を提供することを目的とする。
【課題を解決するための手段】
【０００６】
上記課題を解決するために、本発明の第１の態様のピペットチップ収納具は、複数のピペットチップを先端部から挿入する複数の挿入口が構成された上面部材と、前記挿入口から挿入されたピペットチップ同士をピペットチップ毎に隔離する収納空間を構成する隔離部材と、を備えている。
【０００７】
本発明のピペットチップ収納具では、上面部材の挿入口から挿入されたピペットチップは、収納空間に収納される。収納空間は、隔離部材によりピペットチップ毎に隔離されている。ここでの隔離は、必ずしも収納空間が上面部材よりも下の部分で閉じられた空間である必要はなく、挿入方向に延設される側壁のみで隣り合うピペットチップと隔離されているなど、ピペットチップ同士が接触せず、ピペットチップに付着した液体が飛び散らない程度の隔離でよい。
【０００８】
上記構成によれば、隔離部材により各ピペットチップが隔離されているので、使用後のピペットチップを未使用のピペットチップと同一のピペットチップ収納具に収納することができる。したがって、同一の液体を取り扱う場合に、再度使用済みのピペットチップを使用することができ、ピペットチップの消費量を抑制することができる。また、ピペットチップ廃棄用のスペースを別に設ける必要がなく、装置サイズの拡大を抑制することができる。
【０００９】
本発明の第２の態様のピペットチップ収納具は、前記上面部材及び前記隔離部材が一体的に構成されていること、を特徴とする。
【００１０】
上面部材と隔離部材は別体で構成することもできるが、一体的に構成することにより、一体成形が可能となり、製造工程を少なくすることができる。
【００１１】
本発明の第３の態様のピペットチップ収納具は、前記隔離部材が、前記隣り合うピペットチップとの間に配置された隔離壁、及び、前記収納空間の底部を構成する隔離底部、を含んで構成されていること、を特徴とする。
【００１２】
上記構成によれば、隔離部材が隔離壁だけでなく隔離底部を有しているので、収納空間に下側から埃などが入り込むのを抑制することができる。
【００１３】
本発明の第４の態様のピペットチップ収納具は、前記隔離部材が梁部材により連結されていること、を特徴とする。
【００１４】
上記構成によれば、各々の収納空間を構成する隔離部材が梁部材により連結されているので、ピペットチップ収納具の強度を高くすることができ、荷重などによる変形を抑制することができる。
【発明の効果】
【００１５】
本発明は上記構成としたので、装置サイズの拡大を抑制し、ピペットチップの消費量も抑制することができる。
【発明を実施するための最良の形態】
【００１６】
［第１実施形態］
以下、図面を参照しながら本発明の第１実施形態について説明する。
【００１７】
本発明のピペットチップ収納具２０は、ノズルやピペットの先端に装着して液体を吸引／吐出するピペットチップ１０を、複数収納するための収納具として用いられる。
【００１８】
図１に示すように、ピペットチップ収納具２０は、略直方体状とされた収納具本体２２を備えている。収納具本体２２は、上面が平坦面とされた上面部材２４、及び、直方体の側面を構成する側面部材２６を備えている。また、ピペットチップ収納具２０には、収納具本体２２の上部を覆う、蓋４０が備えられている。
【００１９】
上面部材２４には、円形状の挿入孔２４Ａがマトリクス状に形成されている。上面部材２４の裏側には、図２及び図３に示すように、挿入孔２４Ａの各々を開口とした収納空間３０を構成する隔離部材２８が設けられている。隔離部材２８は、下側に向かって小径とされた中空テーパー状の隔離壁２８Ａ、及び、隔離壁２８Ａのテーパー先端部分に設けられた底部２８Ｂとで構成されている。各々の収納空間３０は、上面部材２４、隔離壁２８Ａ、及び、底部２８Ｂにより、他の収納空間３０と隔離された独立空間とされている。上面部材２４、隔離壁２８Ａ、及び、底部２８Ｂは、一体的に構成されている。
【００２０】
各々の隔離部材２８は、梁部材２７で連結されている。梁部材２７は、図２に示すように、隔離部材２８の並び方向に沿って格子状に配置され、上面部材２４及び隔離部材２８と一体的に構成されている。図３に示すように、梁部材２７の下端部は、隔離部材２８の下端部よりも上側に配置されている。
【００２１】
マトリクス状に配置された隔離部材２８の最外側部と側面部材２６との間には、複数箇所において、端部梁部材２９が設けられている。端部梁部材２９は、隔離部材２８同士を連結する梁部材２７の外側面と側面部材２６の内側とを連結するように配置されている。梁部材２７及び端部梁部材２９により、収納具本体２２の端部梁部材２９が補強され、荷重などによる変形が抑制される。端部梁部材２９の下端部は、図３に示すように、外側に向かって下方へ傾斜され、後述する係合溝部３６へ至っている。
【００２２】
側面部材２６の上端部分には、上面部材２４よりも突出した係合突枠３４が構成されている。係合突枠３４は、図４に示すように、蓋４０の内側に形成された蓋溝４０Ａの内側に嵌合される。
【００２３】
蓋４０の上側外周角部には、図１にも示すように、段差４０Ｂが構成されている。一方、側面部材２６の下端部分には、図３及び図４に示すように、段差４０Ｂに係合される係合溝部３６が構成されている。複数の収納具本体２２を積み重ねる場合、図４に示すように、収納具本体２２に蓋４０を被せ、蓋４０の段差４０Ｂと他の収納具本体２２の係合溝部３６とを嵌合させることにより、安定して積み重ねることができる。
【００２４】
収納具本体２２、及び蓋４０の高さ方向の直方体角部は、図１に示すように、二辺が面取り形状とされ、面取部２６Ｍ、面取部４０Ｍが構成されている。面取部２６Ｍ、面取部４０Ｍを構成することにより、収納具本体２２を積み重ねる際に、収納具本体２２の向きが逆向きに積み重ねられることが防止されている。
【００２５】
ピペットチップ収納具２０に収納されるピペットチップ１０は、図４に示すように、先端部分１２及び保持部分１４を備えている。保持部分１４と先端部分１２との間には保持部分１４を大径とする段差が形成されている。先端部分１２は挿入孔２４Ａよりも小径とされ、保持部分１４は挿入孔２４Ａよりも大径とされている。
【００２６】
本実施形態のピペットチップ収納具２０にピペットチップ１０を収納する際には、ピペットチップ１０を先端部分１２から挿入孔２４Ａへ挿入する。ピペットチップ１０は保持部分１４が収納具本体２２の上面部材２４に当接される。これにより、ピペットチップ１０は、先端部分１２が収納空間３０内に収容されると共に保持部分１４が上面部材２４の上側に配置されるように、収納具本体２２で保持される。この状態で、蓋４０を上から被せると、ピペットチップ１０の収納が完了する。
【００２７】
本実施形態では、ピペットチップ１０の先端部分１２を収容する収納空間３０が、隔離部材２８により他のピペットチップ１０から隔離された独立空間とされている。したがって、他のピペットチップ１０と接触したり、使用後のピペットチップ１０からの液体が飛び散って他のピペットチップ１０へ付着したりすることを防止することができる。その結果、使用後のピペットチップ１０をピペットチップ収納具２０へ戻すことができ、ピペットチップ１０の廃棄場所を別途設ける必要がなく、装置の拡大を抑制することができる。また、同一の液体であれば、使用後のピペットチップ１０を再使用することができ、ピペットチップ１０の消費量を抑制することができる。
【００２８】
なお、本実施形態では、隔離部材２８を隔離壁２８Ａ及び底部２８Ｂとで構成した例について説明したが、底部２８Ｂは必ずしも必要ではなく、図５に示すように、底部が孔あき状態でもよい。特に、底部２８Ｂを有することにより、埃等の侵入を防止でき、ピペットチップ１０への異物の付着を抑制することができる。
【００２９】
また、本実施形態では、収納具本体２２の各部を一体的に構成したので、一体成形することができ、製造工程を少なくすることができる。
【００３０】
［第２実施形態］
次ぎに、本発明の第２実施形態について説明する。本実施形態では、第１実施形態と同様の部分については同一の符号を付して、詳細な説明は省略する。
【００３１】
図６に示すように、本実施形態のピペットチップ収納具５０は、保持プレート５２及び収納ケース５４を備えている。
【００３２】
保持プレート５２は、収納ケース５４の上面部分に対応した長方形板状とされ、マトリクス状に挿入孔５２Ａが形成されている。各挿入孔５２Ａの周囲には、円筒状のリブ５２Ｂが構成されている。保持プレート５２の２つの短辺の端縁部分には、複数箇所に切欠き５３Ａが形成されている。また、保持プレート５２の周端部分には、係合孔５３Ｂが形成されている。
【００３３】
収納ケース５４は、略直方体で上部の開放された箱状とされ、側面部分を構成する側面部材５６、及び、底面部分を構成する底面部材５８を備えている。側面部材５６の上端面には、保持プレート５２の切欠き５３Ａに対応する位置に係合片５６Ａが形成され、保持プレート５２の係合孔５３Ｂに対応する位置に係合リブ５６Ｂが形成されている。
【００３４】
また、収納ケース５４は、内側に、隔離板６０を備えている。隔離板６０は、保持プレート５２の各挿入孔５２Ａに対応して収納空間６２が構成されるように、格子状に配置されている。
【００３５】
ピペットチップ収納具５０は、切欠き５３Ａと係合片５６Ａとが係合し、係合孔５３Ｂに係合リブ５６Ｂを嵌合させて、保持プレート５２を収納ケース５４の上面に載置して構成される。収納空間６２は、底面部材５８、隔離板６０、及び、保持プレート５２に囲まれて構成されている。各々の収納空間６２は、他の収納空間６２と隔離された独立空間とされている。
【００３６】
本実施形態のピペットチップ収納具５０にピペットチップ１０を収納する際には、ピペットチップ１０を先端部分１２から挿入孔５２Ａへ挿入する。ピペットチップ１０は保持部分１４が保持プレート５２の上面に当接される。これにより、ピペットチップ１０は、先端部分１２が収納空間６２内に収容されると共に保持部分１４が保持プレート５２の上側に配置されるように、ピペットチップ収納具５０で保持される。
【００３７】
本実施形態でも、ピペットチップ１０の先端部分１２を収容する収納空間６２が、隔離板６０により他のピペットチップ１０から隔離された独立空間とされている。したがって、他のピペットチップ１０と接触したり、使用後のピペットチップ１０からの液体が飛び散って他のピペットチップ１０へ付着したりすることを防止することができる。その結果、使用後のピペットチップ１０をピペットチップ収納具５０へ戻すことができ、ピペットチップ１０の廃棄場所を別途設ける必要がなく、装置の拡大を抑制することができる。また、同一の液体であれば、使用後のピペットチップ１０を再使用することができ、ピペットチップ１０の消費量を抑制することができる。
【図面の簡単な説明】
【００３８】
【図１】第１実施形態のピペットチップ収納具を上側からみた斜視図である。
【図２】第１実施形態のピペットチップ収納具を下側からみた斜視図である。
【図３】第１実施形態のピペットチップ収納具の断面斜視図である。
【図４】第１実施形態のピペットチップ収納具を積み重ねた状態の、一部断面図である。
【図５】第１実施形態のピペットチップ収納具の変形例を下側からみた斜視図である。
【図６】第２実施形態のピペットチップ収納具を上側からみた分解斜視図である。
【図７】従来例の側面図である。
【符号の説明】
【００３９】
１０  ピペットチップ
２０  ピペットチップ収納具
２２  収納具本体
２４  上面部材
２４Ａ  挿入孔
２７  梁部材
２８  隔離部材
２８Ａ  隔離壁
２８Ｂ  底部
２９  端部梁部材
３０  収納空間
３４  係合突枠
３６  係合溝部
４０  蓋
４０Ａ  蓋溝
４０Ｂ  段差
５０  ピペットチップ収納具
５２Ａ  挿入孔
５２  保持プレート
５３Ｂ  係合孔
５４  収納ケース
５６Ｂ  係合リブ
５６Ａ  係合片
５８  底面部材
６０  隔離板
６２  収納空間
【図１】
2007253118.tif 000003
【図２】
2007253118.tif 000004
【図３】
2007253118.tif 000005
【図４】
2007253118.tif 000006
【図５】
2007253118.tif 000007
【図６】
2007253118.tif 000008
【図７】
2007253118.tif 000009